(57)【要約】      （修正有）【課題】郵便箱等の扉開時におけるラッチ音発生の防止。【解決手段】筒状本体部１と、ダイヤル中心軸３を中心にして回転するダイヤル操作盤４と、ダイヤル操作盤の操作によって施錠又は解錠位置へと回転する複数個の回転子５，６と、ラッチ部材７と、ロック部材８を備えた文字合せ錠に於いて、ラッチ部材は、ロック部材のロック片８ａと当接するメインラッチ２０と、メインラッチに可動軸を介してぶら下がり状に接続すると共に、メインラッチ或いは筒状本体部に固定的に支持されたストッパー部材４０と係脱するサブラッチ３０とから成り、解錠時、筒状本体部が開く方向へ移動するときには、サブラッチは、その突出外端部が固定部材側の受け片７１に当たるとこにより筒状本体部の後端面側方向へと回転し、サブラッチの回転量に対応してその係合腕がストッパー部材の指先状係止部分４１に面接触状態に係入して該ストッパー部材に保持される文字合せ錠。【選択図】図１
2015183440.tif 000002
【特許請求の範囲】
【請求項１】
ラッチ部材用収容部（２）を有する筒状本体部（１）と、ダイヤル中心軸（３）を中心にして左右方向に回転するダイヤル操作盤（４）と、前記筒状本体部の前記ラッチ部材用収容部よりも前方に内装されかつ前記ダイヤル操作盤の操作によって施錠又は解錠位置へと回転する複数個の回転子（５，６）と、該回転子と前記ラッチ部材用収容部に設けられたラッチ部材（７）との間に介在するように前記筒状本体部に内装され、前記回転子が解錠位置の場合には前記ラッチ部材が筒状本体部の後端面側（Ａ）方向への回転を許容し、一方、前記回転子が施錠位置の場合には前記ラッチ部材の前記後端面側方向への回転を阻止するロック部材（８）を備えた文字合せ錠（Ｘ）に於いて、
前記ラッチ部材（７）は、前記ラッチ部材用収容部（２）に設けられかつ前記ロック部材のロック片（８ａ）と当接する当接部分（２１）を有するメインラッチ（２０）と、該メインラッチに可動軸（１５）を介してぶら下がり状に接続すると共に、該メインラッチ或いは前記筒状本体部に固定的に支持されたストッパー部材（４０）と係脱するサブラッチ（３０）とから成り、解錠時、前記筒状本体部が開く方向へ移動するときには、前記サブラッチは、その突出外端部が受け片（７１）に当たることにより筒状本体部の後端面側（Ａ）方向へと回転し、該サブラッチの回転量に対応してその係合腕（３３）が前記ストッパー部材の指先状係止部分（４１）に面接触状態に係入して該ストッパー部材に保持されることを特徴とする文字合せ錠。
【請求項２】
請求項１に於いて、サブラッチの突出外端部（３１）には、筒状本体部が開く方向へ移動するときに、固定部材（７０）側の受け片（７１）に当たる後方の突出係合部（３１ａ）と、一方、筒状本体部が閉じる方向へ移動するときに、前記受け片（７１）に当たる前方の突出係合部（３１ｂ）とを有することを特徴とする成る文字合せ錠。
【請求項３】
請求項１に於いて、ラッチ軸は筒状本体部に固定的に設けられ、ストッパー部材は該ラッチ軸にその略中央部が支持され、指先状係止部分とは反対側の内端部に設けた係合突起（４３）が、筒状本体部に設けた保持溝（１ｅ）に係合保持されていることを特徴とする文字合せ錠。
【請求項４】
請求項１に於いて、ストッパー部材の指先状係止部分（４１）は、略親指状の外観形状であり、その内面は緩やかな弧状カム面（４１ａ）に形成され、一方、サブラッチの係合腕の内面は、前記弧状カム面に面接触状態で摺接するように曲面状（３３ａ）に形成されていることを特徴とする文字合せ錠。
【発明の詳細な説明】
【技術分野】
【０００１】
本発明は、郵便箱や窓枠の障子に使用される文字合せ錠に関する。
【背景技術】
【０００２】
特許文献１は、「筒状本体部２ラッチ軸１４を介して回動可能に設けられたラッチ板（メインラッチ）１２と、該ラッチ板にバネ１６のバネ力に抗してラッチ板１２の内部方向へ後退動するスライド板（サブラッチ）１３とから成るラッチ部材３」が開示されている。
【０００３】
付言すると、特許文献１の文字合せ錠は、ラッチ軸１４にて筒状本体部２に回動可能に保持するラッチ部材３を、第１係合片１２ｃを有するラッチ板１２と、ラッチ板１２の長手方向にスライド可能で、ラッチ板１２の先端側から突出する第２係合片１３ｂを有するスライド板１３と、スライド板１３をラッチ板１２の先端側へ付勢するコイルスプリング１６とで構成され、前記第１係合片１２ｃと第２係合片１３ｂとの間に、受部材８ａを収容する収容部１５を形成し、扉体８の開閉時に、収容部１５は受部材８ａを収容した状態で本体部２の側面側から後端面側へ、又は、後端面側から側面側へ移動し、受部材８ａとの係止解除位置及び係止位置でラッチ部材３をロック部材６によって保持するものである（符号は特許文献１に記載のもの）。
【０００４】
この従来の文字合せ錠では、扉を開く際には、ラッチ板が回動して固定側の受部材から離れた時に、一方、扉を閉じる際には、ラッチ板が本体部内に移動して前記受部材に係止する時に、それぞれラッチ音が発生していたのを防止できるという利点を有する。
しかしながら、文字合せ錠の解錠時、前記筒状本体部が開く方向へ移動するときには、ラッチ板（メインラッチ）１２がラッチ軸１４を支点に回転して傾倒状態となり、その内端部の弧状面と直交するロック部材６のロック爪の角部分がやや線接触状態に圧接して保持するので、不注意により、スライド板（サブラッチ）１３の突出係合片１３ｂに当たると、容易にスライド板（サブラッチ）１３が前記ロック爪の角部分から外れるという欠点があった。
【０００５】
特許文献２は、上記問題点を解決するために出現したものであるが、構成（ラッチ保持体３４、ラッチ３６、スライド板４０、複数個のバネ部材３８、４２等）が複雑であるという欠点がある（符号は特許文献２に記載のもの）。
【先行技術文献】
【特許文献】
【０００６】
【特許文献１】特開２００６−２４９８６１号公報
【特許文献２】特許第４８９６７００号公報
【特許文献３】実公昭５９−２０５３３号公報
【発明の概要】
【発明が解決しようとする課題】
【０００７】
本願発明の主たる目的は、郵便箱等の扉を開いたときに、ラッチ部材が付勢手段の復帰力により戻り、その際、固定側部材の受け片に衝突することにより発生する「ラッチ音の発生」を防止することである。第２の目的は、郵便箱等の扉を開いたときにメインラッチにぶら下がり状に接続するサブラッチの係合腕が、ストッパー部材の指先状係止部分に面接触状態に係入して確実に保持され、それにより初期位置へと容易に戻らないようにすることである。第３の目的は、極力、構成部品を少なくすることにより、本願発明の主たる目的を達成することである。その他の目的は、郵便箱等の扉を閉じたとき、ラッチ部材が確実に初期位置へと戻ることである。
【課題を解決するための手段】
【０００８】
本発明の文字合せ錠は、ラッチ部材用収容部２を有する筒状本体部１と、ダイヤル中心軸３を中心にして左右方向に回転するダイヤル操作盤４と、前記筒状本体部の前記ラッチ部材用収容部よりも前方に内装されかつ前記ダイヤル操作盤の操作によって施錠又は解錠位置へと回転する複数個の回転子５，６と、該回転子と前記ラッチ部材用収容部に設けられたラッチ部材７との間に介在するように前記筒状本体部に内装され、前記回転子が解錠位置の場合には前記ラッチ部材が筒状本体部の後端面側Ａ方向への回転を許容し、一方、前記回転子が施錠位置の場合には前記ラッチ部材の前記後端面側方向への回転を阻止するロック部材８を備えた文字合せ錠Ｘに於いて、前記ラッチ部材７は、前記ラッチ部材用収容部に設けられかつ前記ロック部材のロック片８ａと当接する当接部分２１を有するメインラッチ２０と、該メインラッチに可動軸１５を介してぶら下がり状に接続すると共に、該メインラッチ或いは前記筒状本体部に固定的に支持されたストッパー部材４０と係脱するサブラッチ３０とから成り、解錠時、前記筒状本体部が開く方向へ移動するときには、前記サブラッチは、その突出外端部が受け片７１に当たるとこにより筒状本体部の後端面側Ａ方向へと回転し、該サブラッチの回転量に対応してその係合腕３３が前記ストッパー部材の指先状係止部分４１に面接触状態に係入して該ストッパー部材に保持されることを特徴とする。
【発明の効果】
【０００９】
（ａ）請求項１に記載の発明は、メインラッチ２０に付勢手段１３の復帰力が作用していても、該サブラッチ３０はストッパー部材４０に係入保持されているので、サブラッチ３０が受け片７１の突壁部分の縁部に当たることにより、「ラッチ音が発生すること」を防止することができる（図８参照）。特に、実施形態では、郵便箱等の扉を開いたときにメインラッチ２０にぶら下がり状に接続するサブラッチ３０の係合腕３３が、ストッパー部材４０の指先状係止部分４１に面接触状態に係入して確実に保持され、それにより容易に初期位置へ戻らない。
（ｂ）請求項２に記載の発明は、サブラッチの突出外端部３１には、筒状本体部が開く方向へ移動するときに、固定部材７０側の受け片７１に当たる後方の突出係合部３１ａと、一方、筒状本体部が閉じる方向へ移動するときに、前記受け片７１に当たる前方の突出係合部３１ｂとを有するので、本願発明の主たる課題に合わせて、郵便箱等の扉を閉じたとき、ラッチ部材７が確実に初期位置に戻る。
（ｃ）請求項３に記載の発明は、ラッチ軸１２は筒状本体部１に固定的に設けられ、ストッパー部材４０は該ラッチ軸にその略中央部が支持され、指先状係止部分とは反対側の内端部に設けた係合突起が、筒状本体部に設けた保持溝に係合保持されているので、該ストッパー部材４０を筒状本体部１に簡単かつ固定的に装着することができる。
（ｄ）請求項４に記載の発明は、ストッパー部材の指先状係止部分（４１）は、略親指状の外観形状であり、その内面は緩やかな弧状カム面に形成され、一方、サブラッチの係合腕の内面は、前記弧状カム面に面接触状態で摺接するように曲面状に形成されているので、カム面の機能を有効的に活用することができる。
【図面の簡単な説明】
【００１０】
図１乃至図１１は本発明の第１実施形態を示す各説明図。
【図１】環境部材を含む概略断面説明図。
【図２】要部の斜視図。
【図３】要部の正面視からの説明図（ストッパー部材は概略断面で示す）。
【図４】要部の正面視からの分解斜視図（ストッパー部材は概略断面で示す）。
【図５】サブラッチ３０と受け片７１の係脱関係を示す概略説明図。
【図６】メインラッチ２０と他の部材との関係を示す概略説明図。
【図７】ストッパー部材４０と保持溝との関係を示す概略説明図。
【図８】扉を開く場合のラッチ部材の回転状態を示す概略説明図。
【図９】扉を開く際にサブラッチ３０が受け片７１に押される状態の概略説明図。
【図１０】扉を開いた場合に於いて、サブラッチ３０の回転に伴い、カム面の形状効果によって、メインラッチ２０が、例えば２〜４度戻される、戻り動作の説明図。
【図１１】扉を閉じる場合のラッチ部材の回転状態を示す概略説明図。
【発明を実施するための最良の形態】
【００１１】
（１）具体的構成と特徴事項
図１乃至図１１は、本発明の一実施形態である。文字合せ錠Ｘは、ラッチ部材用収容部２を有する筒状本体部１と、該筒状本体部１の長手方向に設けられる棒状のダイヤル中心軸３と、前記筒状本体部１の先端部に前記ダイヤル中心軸３を中心にして左右方向に回転するダイヤル操作盤４と、前記筒状本体部１の前記ラッチ部材用収容部２よりも前方に内装されかつ前記ダイヤル操作盤４の操作力によって施錠又は解錠位置へと回転する複数個の回転子５、６と、該回転子５、６と前記ラッチ部材用収容部２に回動可能に設けられたラッチ部材７との間に介在するように前記筒状本体部１に内装され、前記回転子５、６が解錠位置の場合には前記ラッチ部材７が筒状本体部１の後端面側Ａ方向への回転を許容し、一方、前記回転子５、６の少なくともいずれか一方が施錠位置の場合には前記ラッチ部材７の前記後端面側Ａ方向への回転を阻止するロック部材８を備えている。この点、特許文献１（特開２００６−２４９８６１号公報）に記載の文字合せ錠と同様に、「いわゆるダイヤル錠」に必要な最低限度の構成部材を備えている。
【００１２】
本発明が前記特許文献１の文字合せ錠と異なる事項は、（イ）前記ラッチ部材用収容部２内に、一端部に指先状係止部分４１を有するストッパー部材４０を設け、（ロ）また前記ラッチ部材７は、固定軸としてのラッチ軸１２に回転可能に軸支され、その内端部に前記ロック部材８のロック片８ａと当接する当接部分２１を有すると共に、付勢手段１３の付勢力により、前記筒状本体部１の後端面側Ａから該筒状本体部の周側面側Ｂへ常時付勢されたメインラッチ２０と、（ハ）このメインラッチ２０の外端部側に接続するように可動軸１５を介して回転可能に設けられ、前記ラッチ部材用収容部２から突出する突出外端部３１に固定部材７０側の受け片７１と係脱する少なくとも一つ以上の突出係合部３１ａ、及び該突出係合部に連設する幅広部分３２から軸孔を有する基端部３４側に略Ｖ或いは略Ｕ状の間隙３５を形成するように延び、かつ前記ストッパー部材４０の指先状係止部分４１に係脱するやや細幅の係合腕３３を有するサブラッチ３０とから成る点である。
【００１３】
したがって、以上の本発明の特徴点（特定事項）に関係しない事項は極力図面を省略し、また詳細な説明の中で、特に符号を付する必要がない部分や細部的事項の説明は割愛する。
【００１４】
（２）環境部材と本発明の構成部材
図１には、環境部材として、固定側部材７０（例えば郵便箱や窓枠）と、該固定側部材７０の内壁面に突出するように固定された受け片７１と、固定側部材７０に開閉可能に設けられた扉７２と、該扉７２に文字合せ錠Ｘを固定するための固定具（例えば螺合体）７３が描かれている。これらの環境部材７１、７２、７３は、本発明の特定事項ではない。
【００１５】
本発明を特定する構成部材は、前記（１）で説明したように、ラッチ部材用収容部２を有する筒状本体部１と、ダイヤル中心軸３と、ダイヤル操作盤４と、複数個の回転子５、６と、ロック部材８と、ラッチ部材７を構成するメインラッチ２０及びサブラッチ３０と、前記サブラッチ３０用のストッパー部材４０であり、前記筒状本体部１、ラッチ部材用収容部２等の構造は適宜に形成され得る。以下、構成部材を順番に説明する。
【００１６】
（３）筒状本体部１
まず、筒状本体部１は、例えば硬質の合成樹脂で形成され、図１で示すように扉７２の不番嵌合孔に文字合せ錠Ｘを取付けた場合には、扉７２の外壁面から突出する部分は環状のフランジ部分１ａとなっている。前記フランジ部分１ａに連設する略円筒状部１ｂの先端部側には、固定具（例えばナット）７３が螺合する不番オネジが形成されている。ラッチ部材用収容部２は筒状本体部１の略中央部乃至後端部寄りの部位に形成され、該筒状本体部１の略円筒状部１ｂの後端部には、図示しないダイヤル番号変換用の操作レバーを収容するための後端収納部９が形成され、該後端収納部９は前記ラッチ部材用収容部２と連通している。
【００１７】
また筒状本体部１内の後端部寄りの内壁には、付勢手段１３用の短筒状バネ端支持部１ｃが突出形成され、該短筒状バネ端支持部１ｃには、例えば付勢手段１３の一例としての一つの圧縮コイルバネの一端部が支持されている。また筒状本体部１内の中央部の適宜箇所には、サブラッチ３０の回転範囲を規制する回り止め部分１ｄが突出形成されている。
【００１８】
なお、筒状本体部１のラッチ部材用収容部２の外部と連通する切欠部位（図面上、略円筒状部１ｂの下側壁部分）や後端収納部９の外部と連通する切欠部位（図面上、略円筒状部１ｂの後壁部分）の符号は割愛する。またその他の細部的事項の符号は同様に割愛する。
【００１９】
（４）ダイヤル操作盤４
ダイヤル操作盤４は、例えば図面上断面右向きコ字形状に形成され、数字や記号等の符号が設けられた垂直文字盤部分４ａと、該垂直文字盤部分の外周端部に突壁状に周設された環状部分４ｂと、該環状部分の内側に環状間隙を有して形成された短筒状嵌合部分４ｃとから成り、前記環状部分４ｃは固定側部分に相当するフランジ部分１ａの前面に周設された環状凹所に嵌合し、また前記短筒状嵌合部分４ｃは、その中心部にダイヤル中心軸３の端部と螺合する不番軸孔が形成されていると共に、その外周面は多角形（例えば八角形状）に形成されている。
【００２０】
したがって、ダイヤル操作盤４はダイヤル中心軸３と共に、又は設計如何によっては、ダイヤル中心軸３に支承された状態で左右方向に回転可能である。なお、ダイヤル操作盤４は、一物品又は二物品で構成され得る。ダイヤル操作盤４が二物品の場合には、ダイヤル本体と、該ダイヤル本体に一体的に外嵌合するダイヤルカバーとから成る（例えば特開２００６−２７４６９１号公報の図８参照）。
【００２１】
（５）複数個の回転子５、６
複数個の回転子５、６は、筒状本体部１の先端部側の内部にダイヤル中心軸３に嵌挿された状態で回転自在に組み込まれている。回転子５、６の構造・機能は当業者に自明事項なので、詳細な図面は割愛している。ここでは、ダイヤル操作盤４の外周面多角形の短筒状嵌合部分４ｃに外嵌合する前方の回転子を第１回転子５とし、一方、該第１回転子５と軸方向に重なる後方の回転子を第２回転子６とする。
【００２２】
しかして、前記第１回転子５の先端部（図面上、左側）には、前述した短筒状嵌合部分４ｃに外嵌合する内周面が多角形（例えば八角形状）の嵌合部分が形成され、一方、該第１回転子５の鍔状後端部（図面上、右側）の内周壁等の適宜部位には「ツク」と称される係合突子が設けられ、一方、前記鍔状後端部等の適宜部位には解錠用の切欠部５ａが形成されている。
【００２３】
また前記第２回転子６は、例えば断面横倒しハット形状（帽子の一種）に形成され、前記第１回転子５の鍔状後端面と面接触する小径先端部には前記係合突子と係合する被係合突起が設けられ、一方、鍔状後端部の適宜部位には、第１回転子５と同様に解錠用の切欠部６ａが形成されている。前記解錠用切欠部５ａ、６ａが揃った場合には、後述するロック部材８のロック片８ａがロックバネ８ｂのバネ力に抗して後退動可能である。
【００２４】
付言すると、実施形態の文字合せ錠Ｘの解錠は、周知の文字合せ錠と同様に、「摘み（ダイヤル操作盤４）を一方向に回転させることにより、一方の回転板（例えば第２回転子６）を一つの暗証番号の位置へと回転させて、該一方の回転板の解錠溝（例えば切欠部分６ａ）を解錠位置に合わせ、次に前記摘みを逆転させて、第１回転子６の解錠溝（例えば切欠部分５ａ）を解錠位置に合わせ、両解錠溝６ａ、５ａを一致させることにより、ラッチ部材７（実施形態ではメインラッチ２０）がラッチ軸１２を中心に回動できるようになり、該ラッチ部材７（実施形態ではメインラッチ２０とサブラッチ３０）を一つの付勢手段１３の付勢力に抗して筒状本体部１内に必要な位置まで没入させることにより、扉７２を開くことができる（図８参照）。
【００２５】
（６）ロック部材８
ロック部材８は、その後端部にメインラッチ２０のロック片用当接部分２１に当接するブロック形態のロック片８ａと、該ロック片８ａを付勢するロックバネ８ｂとから構成されている。すなわち、図１で示すように、ロック部材８は、筒状本体部１のフランジ部分１ａの内面側に軸方向に配設され、かつ前後方向に摺動可能に設けられロック片８ａと、該ロック片８をメインラッチ２０の内端部の前記当接部分２１に常時押圧するロックバネ（例えば圧縮バネ）８ｂとから成る。
【００２６】
（７）ラッチ部材７
金属製或いは硬質合成樹脂製のラッチ部材７は、例えば図２の斜視図で示すように、メインラッチ２０と、該メインラッチ２０に接続するサブラッチ３０とから成り、前記メインラッチ２０の一側壁にはラッチ軸１２を介して、やや肉厚板状のストッパー部材４０が添設されている。
【００２７】
ここでは、例えば図４を参照にして前記メインラッチ２０の構造を説明する。前述したようにメインラッチ２０の内端部（図面上、上端部）には、ロック片８ａの後端部の弧状凹所と当接する弧状突起の当接部分２１が形成され或いは設けられている。一方、メインラッチ２０の外端部（図面上、下端部）には、ラッチ軸１２よりも小径の可動軸（可動ピン）１５が設けられている。前記外端部（下端部）の後壁面は、右上がり状の傾斜面となっており、略中央部に相当する突出後端部分の上面には、付勢手段の一例としての圧縮バネ１３の下端部を支持するバネ端支持突起２３が設けられている。そして、メインラッチ２０の略中央部にはラッチ軸用の軸孔２４が設けられている。
【００２８】
付言すると、メインラッチ２０は、ラッチ軸１２に回転可能に軸支され、その内端部にロック部材８のロック片８ａと当接する当接部分２１を有すると共に、付勢手段１３の付勢力により、筒状本体部１の後端面側Ａから該筒状本体部１の周側面側Ｂへ常時付勢され、回転子５，６が解錠位置に於いて、扉７２を開く場合には、サブラッチ３０と共に反時計方向に回転可能である。
【００２９】
一方、サブラッチ３０は、前述したように、メインラッチ２０の外端部側に接続するように可動軸１５を介して回転可能に設けられ、ラッチ部材用収容部２から突出するくちばし形状の突出外端部（図面上、下端部）３１に、固定部材７０側の受け片７１と係脱する後方突出係合部３１ａと、及び該突出係合部３１ａに連設する幅広部分３２と、該幅広部分３２から軸孔を有する基端部３４側に略Ｖ或いは略Ｕ状の間隙３５を形成するように弧状に延び、かつストッパー部材４０の指先状係止部分４１に係脱するやや細幅の係合腕３３とを有している可動板体である。なお、実施形態では、さらに改良を加え、前記突出外端部３１には前方の該突出係合部３１ｂを設け、指先状の該前方の該突出係合部３１ｂは、筒状本体部が閉じる方向へ移動するときに、前記受け片（７１）に当たる。
【００３０】
付言すると、サブラッチ３０は、メインラッチ２０の外端部側に可動軸１５を介してぶら下がり状に接続すると共に、回転可能に設けられ、ラッチ部材用収容部２の切欠部分側の外端部に固定部材７０側の受け片７１と選択的に係脱する二つの突出係合部３１ａ、３１ｂ、これらの突出係合部に連設する幅広部分３２の外端部側に可動軸１５の外周面方向に所定量の間隙３５を有して延び、ストッパー部材４０の指先状係止部分３０に係脱するやや細幅の係合腕３３とから成る。
【００３１】
そして、実施形態では、後述のストッパー部材４０の指先状係止部分４１は、略親指状の外観形状であり、その内面は緩やかな弧状カム面４１ａに形成され、一方、サブラッチの上端部に至ってやや細幅の係合腕３３の内面は、前記弧状カム面４１ａに面接触状態で摺接するように曲面状３３ａに形成されている。
【００３２】
（８）ストッパー部材４０
ラッチ部材用収容部内に設けられたストッパー部材４０はラッチ軸１２にその略中央部が支持され、前述したように一端部（下端部）に指先状係止部分４１を有し、一方、前記指先状係止部分とは反対側の内端部（上端部）に設けた係合突起４３が、筒状本体部１に設けた保持溝１ｅに係合保持される。
【００３３】
しかして、ストッパー部材４０の指先状係止部分４１は、略親指状の外観形状であり、その内面は緩やかな弧状カム面４１ａに形成され、一方、サブラッチ３０のやや細幅の係合腕３３の内面は、前記弧状カム面４１ａに面接触状態で摺接するように曲面状３３ａに形成されている。
【００３４】
（９）作用・効果
ラッチ部材７の作用を説明する。実施形態では、扉７２を開く際に筒状本体部１が該扉７２と共に開く方向へ移動する。筒状本体部１が該扉７２と共に開く方向へ移動すると、メインラッチ２０に可動軸１５を介してぶら下がり状に接続するサブラッチ３０は、その下端部（突出外端部）が筒状本体部１の周側壁から常に食み出しているので、受け片７１の前方の略Ｌ字形状突壁部分の縁部に後方の突出係合部３１ａの略垂直係合面が当たり、これにより、該サブラッチ３０は筒状本体部１の後壁側Ａに回転し、その回転量に応じて、筒状本体部１に直接又は間接的に支持されたストッパー部材４０の指先状係止部分４１に、該サブラッチ３０の細幅の係合腕３３が係入する。
【００３５】
その結果、サブラッチ３０は面接触状態でメインラッチ２０に保持され、メインラッチ２０に付勢手段１３の復帰力が作用していても、該サブラッチ３０は前記ストッパー部材４０から完全に離れることがないので、サブラッチ３０が受け片７１の前方の略Ｌ字形状突壁部分の縁部に当たることにより、「ラッチ音が発生」を防止することができる（図８参照）。
【００３６】
ところで、実施形態では、メインラッチ２０は付勢手段１３に常時付勢されているので、例えば図１０は、ストッパー部材４０の弧状カム面４１ａとサブラッチ３０の係合腕３３の弧状摺接面３３ａのカム面の形状効果によって、メインラッチ２０が、例えば２〜４度戻されることを示す（ここでは「戻り動作」という）。
【００３７】
したがって、前記戻り動作によって、扉７２を閉じる場合には、必ず、サブラッチ３０の突出外端部３１の前方の突出係合部３１ｂが、前述した受け片７１の前方傾斜壁の縁部に当接して時計方向に回転し、その結果、サブラッチ３０の係合腕３３がストッパー部材４０の指先状係止部分４１から外れる。
【産業上の利用可能性】
【００３８】
本発明は、郵便箱や窓枠に使用可能な文字合せ錠（ダイヤル錠）である。
【符号の説明】
【００３９】
１…筒状本体部、Ａ…筒状本体部の後端面側、２…ラッチ部材用収容部、３…ダイヤル中心軸、４…ダイヤル操作盤、５、６……複数個の回転子、７…ラッチ部材、８…ロック部材、８ａ…ロック片、２０…メインラッチ、３０…サブラッチ、３１…突出外端部、３１ａ…後方の突出係合部、３１ｂ…前方の突出係合部、３３…係合腕、４０…ストッパー部材、４１…指先状係止部分、７１…受け片。
【図１】
2015183440.tif 000003
【図２】
2015183440.tif 000004
【図３】
2015183440.tif 000005
【図４】
2015183440.tif 000006
【図５】
2015183440.tif 000007
【図６】
2015183440.tif 000008
【図７】
2015183440.tif 000009
【図８】
2015183440.tif 000010
【図９】
2015183440.tif 000011
【図１０】
2015183440.tif 000012
【図１１】
2015183440.tif 000013